(57)【要約】  冷蔵庫は、前面を開口した貯蔵室を有する外郭体と、貯蔵室の内側壁面に設けられた前後方向に延びる棚レールと、貯蔵室の開口側と奥側とで前後に分割され、棚レールに支持される前棚及び後棚と、を備えている。前棚の側縁部には、棚レールと係合するツメ部が設けられている。後棚には、棚レールから取り外された前棚を上面に重ねた場合に、前棚のツメ部に対応する位置に切り欠き部が形成されている。
2017168670.tif 000002
【特許請求の範囲】
【請求項１】
前面を開口した貯蔵室を有する外郭体と、
前記貯蔵室の内側壁面に設けられた前後方向に延びる棚レールと、
前記貯蔵室の開口側と奥側とで前後に分割され、前記棚レールに支持される前棚及び後棚と、を備え、
前記前棚の側縁部には、前記棚レールと係合するツメ部が設けられており、
前記後棚には、前記棚レールから取り外された前記前棚を上面に重ねた場合に、前記前棚の前記ツメ部に対応する位置に切り欠き部が形成されている冷蔵庫。
【請求項２】
前記ツメ部は、前記前棚の前方側に設けられ、
前記切り欠き部は、前記後棚の前方側に形成されており、
前記前棚の後方側は、前記後棚の前記切り欠き部の形状に収まる凸状部を有する請求項１に記載の冷蔵庫。
【請求項３】
前記前棚の後方縁部には、前記後棚に向かって突き出し、前記後棚の下面に当たる突起部が設けられている請求項１又は２に記載の冷蔵庫。
【請求項４】
前記前棚には、下面から下方へ突き出した凸部が形成されており、
前記後棚には、前記前棚を上面に重ねた場合に、前記凸部が前後方向に突き当たる段差部が形成されている請求項１〜３のいずれか一項に記載の冷蔵庫。
【請求項５】
前記段差部は、前記前棚を前記後棚の上面に重ねた場合に、前記前棚が水平となる高さを有している請求項４に記載の冷蔵庫。
【請求項６】
前記前棚は、前記後棚の上面に重ねた場合に、前方縁辺が前記後棚の前方縁辺と同じ位置か、又は前記後棚の前方縁辺よりも後方となる大きさである請求項１〜５のいずれか一項に記載の冷蔵庫。
【請求項７】
前記貯蔵室の内側壁面には、前記後棚の上面に前記前棚を重ねた場合に、前記前棚の上方であって、貯蔵室内側に突出する浮き上がり防止レールが設けられている請求項１〜６のいずれか一項に記載の冷蔵庫。
【請求項８】
前記後棚は、切り欠きが形成されたガラス板と、前記ガラス板の外周縁に沿って装着されたフレームとを有し、
前記ガラス板は、切り欠き側から前記フレームの切り欠き部へ向かって挿入される請求項１〜７のいずれか一項に記載の冷蔵庫。
【請求項９】
前記棚レールは、前記貯蔵室の上下方向に沿って複数段設けられており、
前記複数段の棚レールうち、少なくとも一つは前記前棚の前後方向の長さから成る請求項１〜８のいずれか一項に記載の冷蔵庫。
【請求項１０】
前記貯蔵室の内側壁面には、前記前棚の前後方向の長さから成る棚レールに前記前棚を載せた場合に、前記前棚の上方であって、前記貯蔵室内側に突出する浮き上がり防止レールが設けられている請求項９に記載の冷蔵庫。
【発明の詳細な説明】
【技術分野】
【０００１】
本発明は、貯蔵室の手前側と奥側とで前後に分割した棚部を内部に備えた冷蔵庫に関するものである。
【背景技術】
【０００２】
一般的に、冷蔵庫は、貯蔵室を棚部で区画して複数の空間を形成し貯蔵品の収納性を高めている。棚部は、貯蔵室の開口側と奥側とで前後に分割され、分割した棚部の前棚を後棚の上方又は下方に収納させることで、収容スペースの高さを確保する構成が知られている。前棚を設置していた箇所に、例えば大容量のペットボトルや瓶等高さのある貯蔵品を収納させるためである。例えば、特許文献１では、貯蔵室内に設置された庫内ケースの上面開口部を上面後方棚と上面前方棚で閉塞する冷蔵庫が開示されている。使用者は、庫内ケースに庫内ケースの高さよりも高い収容物を収納する際に、上面前方棚を取り外して反転させて上面後方棚の上面に載せる構成である。その他の方法として、特許文献２では、前棚を後棚の下方へスライドさせて収納させる冷蔵庫が開示されている。
【先行技術文献】
【特許文献】
【０００３】
【特許文献１】特開２０１１−２１７６号公報
【特許文献２】特開平０９−１１９７７３号公報
【発明の概要】
【発明が解決しようとする課題】
【０００４】
特許文献２では、後棚を支持する棚レールの直下位置に前棚をスライドさせて支持するスライドレール構造を設ける必要があるため、食品収容スペースが狭くなる。特に、棚部をガラス板で構成すると、プラスチック成形品で構成した場合と比べて、棚部の厚さが厚くなるので、スライドレールの構造自体も大きくなり、食品収納スペースが狭くなってしまう。【０００５】
この発明は、上記のような課題を解決するためになされたもので、食品収納スペースの広さを確保したまま、高さのある貯蔵品を収納させるスペースを形成することができる冷蔵庫を提供することである。
【課題を解決するための手段】
【０００６】
本発明に係る冷蔵庫は、前面を開口した貯蔵室を有する外郭体と、前記貯蔵室の内側壁面に設けられた前後方向に延びる棚レールと、前記貯蔵室の開口側と奥側とで前後に分割され、前記棚レールに支持される前棚及び後棚と、を備え、前記前棚の側縁部には、前記棚レールと係合するツメ部が設けられており、前記後棚には、前記棚レールから取り外された前記前棚を上面に重ねた場合に、前記前棚の前記ツメ部に対応する位置に切り欠き部が形成されている。
【発明の効果】
【０００７】
本発明に係る冷蔵庫によれば、後棚の上面に載せた前棚のツメ部を後棚の切り欠き部に収めることにより、前棚を後棚の上面に水平に重ねることができるので、食品収納スペースの広さを確保したまま、前棚を設置していた箇所に高さのある収納物を収納させるスペースを形成することができる。
【図面の簡単な説明】
【０００８】
【図１】本発明の実施の形態１に係る冷蔵庫の主要部を拡大して示した斜視図である。
【図２】本発明の実施の形態１に係る冷蔵庫の主要部を拡大して示した正面図である。
【図３】図２に指示したＸ−Ｘ矢視拡大断面図である。
【図４】本発明の実施の形態１に係る冷蔵庫の棚部を前棚と後棚とに分割した状態を示した平面図である。
【図５】本発明の実施の形態１に係る冷蔵庫の棚部を示した底面図である。
【図６】図２に指示したＡ部拡大図である。
【図７】（Ａ）は図５に指示したＹ−Ｙ線矢視拡大断面図、（Ｂ）は（Ａ）に指示したＢ部拡大図である。
【図８】後棚を構成するフレームにガラス板を嵌め込む要領を側面方向から示した説明図である。
【図９】後棚を構成するフレームにガラス板を嵌め込む要領を底面方向から示した説明図である。
【図１０】後棚を構成するフレームにガラス板を嵌め込む要領を斜め底面方向から示した説明図である。
【図１１】本発明の実施の形態１に係る冷蔵庫の主要部であって、後棚の上面に前棚を重ねた状態を拡大して示した斜視図である。
【図１２】本発明の実施の形態１に係る冷蔵庫の主要部であって、後棚の上面に前棚を重ねた状態を拡大して示した正面図である。
【図１３】本発明の実施の形態１に係る冷蔵庫の棚部であって、後棚の上面に前棚を重ねた状態を示した平面図である。
【図１４】本発明の実施の形態１に係る冷蔵庫の棚部であって、後棚の上面に前棚を重ねた状態を示した側面図である。
【図１５】（Ａ）は図１３に指示したＺ−Ｚ線矢視拡大断面図、（Ｂ）は（Ａ）に指示したＤ部拡大図である。
【図１６】本実施の形態１に係る冷蔵庫の前棚を後棚の上面に重ねる要領を示した要部拡大断面図である。
【図１７】図１２に指示したＣ部拡大図である。
【図１８】本発明の実施の形態２に係る冷蔵庫の主要部を拡大して示した斜視図である。
【図１９】本発明の実施の形態２に係る冷蔵庫の主要部を拡大して示した平面図である。
【図２０】図１９に指示したＶ−Ｖ線矢視拡大断面図である。
【発明を実施するための形態】
【０００９】
実施の形態１．
以下に、本発明の実施の形態１に係る冷蔵庫を図１〜図１７に基づいて説明する。図１は、本発明の実施の形態１に係る冷蔵庫の主要部を拡大して示した斜視図である。図２は、本発明の実施の形態１に係る冷蔵庫の主要部を拡大して示した正面図である。
【００１０】
冷蔵庫１００は、図１及び図２に示すように、鋼板製の外箱１０と、樹脂製の内箱１１と、外箱１０及び内箱１１の間に発泡充填された断熱材とを有し、外箱１０、内箱１１及び断熱材とで冷蔵庫１００の外郭体１００Ａが構成されている。冷蔵庫１００の内箱１１内には、貯蔵室１が形成されており、図示することは省略したが、貯蔵室１の前面には貯蔵室扉が設けられている。なお、図１及び図２に示す冷蔵庫１００は、貯蔵室１として冷蔵室を備えた上方部分のみを拡大して示したものあり、冷蔵室の下方には例えば冷凍室等が設けられているものである。
【００１１】
貯蔵室１の内部には、図１及び図２に示すように、貯蔵室１の背面側側壁部の一部を構成し、貯蔵室１へ供給される冷気が通過する風路部品１２が設けられている。風路部品１２は、貯蔵室１の室内側が樹脂部品で構成されて突き出しており、その樹脂部品の背面側に断熱材が設置されており、貯蔵室１の奥側の壁面を構成している。また、貯蔵室１の内部には、貯蔵室１へ送られる冷気の量を調節する温度調節部１３が設けられている。
【００１２】
貯蔵室１の内側壁面には、室内側に向かって突き出し、貯蔵室１の前後方向に延びる左右一対の棚レール５ａ〜５ｇが、貯蔵室１の上下方向に複数段（図１、２の場合は７段）設けられている。各一対の棚レール５ａ〜５ｇは、それぞれ同一の高さを有し、貯蔵室１の開口部側から奥側に向かって略水平に設けられている。一対の棚レール５ａ〜５ｇには、食品類等の貯蔵品を載せる棚部２が、貯蔵室１の天井（又は下面）と略平行となるように設置されている。棚部２は、図１及び図２に示すように、貯蔵室１を区画して複数の空間を形成し貯蔵品の収納性を高めるものである。なお、図示した実施の形態では、棚部２を上から５段目の棚レール５ａにのみ設けた構成を示したが、例えば各棚レール５ａ〜５ｇに設けた構成、或いは選択した一部の棚レールにのみ設けた構成でもよい。
【００１３】
図３は、図２で示したＸ−Ｘ矢視拡大断面図である。図４は、本発明の実施の形態１に係る冷蔵庫の棚部を前棚と後棚とに分割した状態を示した平面図である。図５は、本発明の実施の形態１に係る冷蔵庫の棚部を示した底面図である。図６は、図２に指示したＡ部拡大図である。図７（Ａ）は、図５に指示したＹ−Ｙ線矢視拡大断面図、図７（Ｂ）は（Ａ）に指示したＢ部拡大図である。棚部２は、図３及び図４に示すように、棚レール５ａの前後方向に２分割された前棚３と後棚４とで構成されている。前棚３及び後棚４は、共に同一の棚レール５ａの上面に、左右の側縁を載せて支持されており、互いに貯蔵室１内においてほぼ同一平面上に水平に設置されている。棚部２は、図４及び図５に示すように前棚３と後棚４とを組み合わせることで略矩形状となる。
【００１４】
前棚３は、図３及び図４に示すように、貯蔵品を載せる略長方形状のガラス板３０と、ガラス板３０の外周縁に装着された合成樹脂製のフレーム３１とで構成されている。フレーム３１は、図５に示すように、下面側において、前方側縁部に設けられた前方保持片３１ａと、両側縁部に設けられた側部保持片３１ｂと、後方側縁部に設けられた後方保持片３１ｃとを備えており、保持片３１ａ〜３１ｃをガラス板３０に掛け止めて装着されている。
【００１５】
前棚３は、図５及び図６に示すように、前方側における幅方向の両側に、棚レール５ａと係合して上下方向の動きを拘束するツメ部３２が設けられている。左右のツメ部３２は、外向きに屈曲させた形状を成し、前棚３の下面から下方に向かって突き出すように設けられている。前棚３は、ツメ部３２を棚レール５ａに沿って移動させることで、前後方向にスライドさせることができる。前棚３は、前方へスライドさせてツメ部３２を棚レール５ａから外すことで、簡単に棚レール５ａから取り外すことができる。取り外した前棚３は、例えば後棚４の上面に重ねたり、別の棚レール５ｂ〜５ｇに支持させたりすることができる。また、取り外した前棚３は、洗浄して汚れを落としたり、破損した場合には新しい棚に取り替えたりすることもできる。
【００１６】
前棚３は、図３〜図５に示すように、後方側の幅方向の両端に後棚４の切り欠き形状に収まる凸状部３４を有しており、後棚４と同一の棚レール５ａに支持させた場合に、後棚４の切り欠き形状に対応させている。前棚３の後方側の形状を、後棚４の形状に対応させることで、前棚３と後棚４との間に隙間が無くなり、貯蔵品を安全に載せることができる。また、前棚３は、後方側の幅方向の両端に凸状部３４を有することで後方側縁部の中央部分が凹状となり、棚レール５ａから取り外して、後棚４の上面に重ねたり、或いは別の棚レール５ｂ〜５ｇに支持させたりして使用する際に、風路部品１２との干渉を防止することができる。
【００１７】
また、前棚３は、図４、図５及び図７に示すように、後棚４に向かって突き出し、後棚４の前方側縁部の下面に当たる突起部３３が、後方側縁部において間隔を開けて２つ設けられている。前棚３の前方側は、ツメ部３２で上下方向の動きを拘束しているため、例えば前棚３の下方の収納スペースに収納した貯蔵品によって下方から押されても、上方へ突き上がることがなく水平状態を維持することができる。しかし、前棚３の後方側には上下方向への突き上がりを防止するツメ部３２が設けられていない。後方側にツメ部を設けてしまうと、前棚３を後棚４の上面に重ねた場合に、そのツメ部の存在によって前棚３を水平にできないからである。そのため、前棚３は、後方側が下方の収納スペースに収納した貯蔵品によって下方から押されると、上方へ突き上がって水平状態を維持できなくなり、上面に載せた貯蔵品を安定させて保存することができない。そこで、実施の形態１に係る冷蔵庫１００では、ツメ部４２によって上下方向の動きを拘束された後棚４の前方側縁部の下面に、突起部３３を突き当てて、前棚３の後方側が上方へ突き上がらない構成としている。なお、突起部３３は、図示した大きさ、個数に限定されず、冷蔵庫のタイプに合わせて適宜、設計変更して設けるものとする。
【００１８】
後棚４は、図３〜図５に示すように、貯蔵品を載せるガラス板４０と、ガラス板４０の外周縁に装着された合成樹脂製のフレーム４１とで構成されている。後棚４は、前方側の幅方向の両側に切り欠き部４４が形成されている。切り欠き部４４は、ガラス板４０及びフレーム４１にそれぞれ形成されている。また、後棚４は、フレーム４１の後方側に凹状の切り欠き部４６が形成され、後方側縁部を貯蔵内の奥側の壁面に突き当てた際に、風路部品１２と干渉しない形状とされている。
【００１９】
フレーム４１は、切り欠き部４４を除く、前方側縁部の下面、左右両側縁部の下面、及び後方側縁部の下面にそれぞれ前方保持片４１ａ、側部保持片４１ｂ、後方保持片４１ｃを備えており、保持片４１ａ〜４１ｃをガラス板４０に掛け止めて装着されている。
【００２０】
図８は、後棚を構成するフレームにガラス板を嵌め込む要領を側面方向から示した説明図である。図９は、後棚を構成するフレームにガラス板を嵌め込む要領を底面方向から示した説明図である。図１０は、後棚を構成するフレームにガラス板を嵌め込む要領を斜め底面方向から示した説明図である。後棚４のガラス板４０は、図８〜図１０に示すように、反転させたフレーム４１の下面側において、斜めに傾けた状態で切り欠き側から、フレーム４１の切り欠き部４４へ向かって挿入される。ガラス板４０及びフレーム４１は共に、前方側の両端部を切り欠いているため、フレーム４１内へガラス板４０を挿入する際に、挿入直後における接触面積が小さくなり、摩擦抵抗を抑えることができる。つまり、実施の形態１の冷蔵庫１００の後棚４は、フレーム４１内へガラス板４０を容易に挿入できるので、組み立て作業の効率を高めることができる。
【００２１】
また、後棚４には、幅方向の両側であって、前後方向の中央部分に下方に向かって突き出すツメ部４２がそれぞれ設けられている。左右のツメ部４２は、外向き屈曲させた形状をなし、棚レール５ａに係合させることで後棚４の上下方向の動きを拘束する。つまり、実施の形態１の冷蔵庫１００は、後棚４の下方の収納スペースに収納した貯蔵品によって、後棚４が上方へ突き上がって傾くことがなく常に水平状態であるため、安全に使用することができる。後棚４は、棚レール５ａに係合させたツメ部４２を前後に動かすことで、前後方向に自由にスライドさせたり、或いは取り外したりすることができる。取り外した後棚４は、洗浄して汚れを落としたり、破損した場合には新しい棚に取り替えたりすることもできる。
【００２２】
また、後棚４には、図３及び図４に示すように、前棚３を上面に重ねた場合に、凸部３５が前後方向に突き当たる段差部４５が形成されている。なお、前棚３及び後棚４が、後棚４の上面に前棚３を重ねた場合に、互いに嵌り合う凹凸状の嵌合部を有する構成でもよい。
【００２３】
次に、後棚４の上面に前棚３を重ねた場合について説明する。図１１は、本発明の実施の形態１に係る冷蔵庫の主要部であって、後棚の上面に前棚を重ねた状態を拡大して示した斜視図である。図１２は、本発明の実施の形態１に係る冷蔵庫の主要部であって、後棚の上面に前棚を重ねた状態を拡大して示した正面図である。図１３は、本発明の実施の形態１に係る冷蔵庫の棚部であって、後棚の上面に前棚を重ねた状態を示した平面図である。図１４は、本発明の実施の形態１に係る冷蔵庫の棚部であって、後棚の上面に前棚を重ねた状態を示した側面図である。図１５（Ａ）は、図１３に指示したＺ−Ｚ線矢視拡大断面図、（Ｂ）は（Ａ）に指示したＤ部拡大図である。図１６は、本実施の形態１に係る冷蔵庫の前棚を後棚の上面に重ねる要領を示した要部拡大断面図である。図１７は、図１２に指示したＣ部拡大図である。
【００２４】
一般的に、冷蔵庫の貯蔵室１では、収納スペースを棚部２で区画して、貯蔵品の収納性を高めている。しかし、高さのある貯蔵品を収納させる場合に、区画した収納スペースの大きさによっては、収納できない場合がある。そこで、実施の形態１の冷蔵庫１００では、図１１〜図１３に示すように、棚レール５ａから取り外した前棚３を後棚４の上面に重ね、前棚３を設置していた箇所における収納スペースを大きくすることができる。
【００２５】
後棚４の上面に重ねた前棚３は、図１４に示すように、ツメ部３２が後棚４の切り欠き部４４に収まって棚レール５ａの上面に載置される。前棚３のツメ部３２は、図１７に示すように、棚レール５ａの上面に載置されることで、前棚３の水平状態の安定性を保つことができる。そして、前棚３は、図１５及び図１６に示すように、凸部３５を後棚４の段差部４５に突き当てて位置決めされる。このとき、図１４に示すように、後棚４の上面に重ねた前棚３は、前方側の下面が段差部４５の上面と接触し、突起部３３の下面が後棚４のフレーム４１と接触する。つまり、段差部４５は、突起部３３の大きさ、形状に合わせて、後棚４の上面に重ねた前棚３が水平となるような高さを有している。また、前棚３は、図１４に示すように、前棚３の前方縁辺が後棚４の前方縁辺と同じ位置か、又は後棚４の前方縁辺よりも後方となるような大きさとすることが好ましい。前棚３が後棚４から出っ張ることがなく、貯蔵品の収納に邪魔にならないからである。
【００２６】
なお、図１１、図１２及び図１７に示すように、貯蔵室１の背面側側壁部に隣接する内側面に、前棚３の上方であって、貯蔵室１の内側に突出する浮き上がり防止レール６を設けてもよい。前棚３は、後棚４の上面に重ねているので、ツメ部４２で上下方向の動きを拘束された後棚４によって下方からの突き上げに対する上下方向の動きが拘束されている。しかし、前棚３は、前方側に上方から鉛直方向の荷重が作用した場合に後方側が浮き上がる虞がある。そこで、実施の形態１の冷蔵庫１００は、前棚３の後方側の浮き上がりを、浮き上がり防止レール６で防止し、食品等を安定させて載置させる構成としている。浮き上がり防止レール６は、使用者が頻繁に食品を収納せず、人目に付きにくい背面側側壁部に隣接する位置に設けているので、食品収納スペースが小さくならず、また見た目も損なわない。
【００２７】
したがって、本発明に係る冷蔵庫１００によれば、後棚４の上面に載せた前棚３のツメ部３２を後棚４の切り欠き部４４に収めることができるので、前棚３を後棚４の上面に水平に重ねることができる。よって、上記した従来技術のように、後棚４の下面に前棚３をスライドさせて収納するスライドレール構造を設ける必要がないので、食品収納スペースの広さを確保したまま、前棚３の設置していた箇所に、高さのある収納物を収納させるスペースを形成することができる。
【００２８】
また、本発明に係る冷蔵庫１００よれば、前棚３の後方側は、後棚４の切り欠き部４４の形状に収まる凸状部３４を有するので、前棚３と後棚４との間に隙間が無くなり、貯蔵品を安全に載せることができる。
【００２９】
また、本発明に係る冷蔵庫１００よれば、前棚３の後方縁部には、後棚４に向かって突き出し、後棚４の下面に突き当たる突起部３３が設けられているので、前棚３の下方の収納スペースに収納した貯蔵品によって前棚３が下方から押されても、上方へ突き上がることがなく前棚３の水平状態を維持することができる。
【００３０】
また、本発明に係る冷蔵庫１００よれば、前棚３には、下面から下方へ突き出した凸部３５が形成され、後棚４には、前棚３を上面に重ねた場合に、凸部３５が前後方向に突き当たる段差部４５が形成されているので、後棚４の上面に重ねた前棚３が不用意に前方へ飛び出すことがなく、安全性を高めることができる。
【００３１】
本発明に係る冷蔵庫１００よれば、後棚４の上面に重ねた前棚３の前方縁辺が、後棚４の前方縁辺と同じ位置、又は後棚４の前方縁辺よりも後方となるので、前棚３が後棚４から出っ張ることがなく、貯蔵品の収納に邪魔になることがない。
【００３２】
本発明に係る冷蔵庫１００よれば、貯蔵室１の内側壁面には、後棚４の上面に前棚３を重ねた場合に、前棚３の上方であって、貯蔵室１の内側に突出する浮き上がり防止レール６が設けられているので、前棚３の前方側に上方から鉛直方向の荷重が作用しても前棚３の後方側の浮き上がりを防止することができ、食品等を安定させて載置させることができる。
【００３３】
実施の形態２．
次に、本発明の実施の形態２に係る冷蔵庫を図１８〜図２０に基づいて説明する。図１８は、本発明の実施の形態２に係る冷蔵庫の主要部を拡大して示した斜視図である。図１９は、本発明の実施の形態２に係る冷蔵庫の主要部を拡大して示した平面図である。図２０は、図１９に指示したＶ−Ｖ線矢視拡大断面図である。なお、実施の形態１の冷蔵庫１００と同一の構成について、同一の符号を付してその説明を省略する。
【００３４】
実施の形態２の冷蔵庫１１０は、図１８〜図２０に示したように、後棚４の真下に前棚３を設置した構成である。棚レール５ａから取り外した前棚３は、前棚３の前後方向の長さで構成された棚レール５ｂに支持されている。貯蔵室１の内側壁面には、棚レール５ｂに前棚３を設置した場合に、前棚３の上方であって、貯蔵室１の内側に突出する浮き上がり防止レール７が設けられている。そのため、前棚３は、前方側がツメ部３２によって上下方向の動きを拘束され、後方側が浮き上がり防止レール７によって上下方向の動きが拘束される。
【００３５】
したがって、実施の形態２に係る冷蔵庫も、上記した従来技術のように、後棚４の下面に前棚３をスライドさせて収納するスライドレール構造を設ける必要がないので、食品収納スペースの広さを確保したまま、前棚３の設置していた箇所に、高さのある収納物を収納させるスペースを形成することができる。
【００３６】
以上に本発明を実施の形態に基づいて説明したが、本発明は上述した実施の形態の構成に限定されるものではない。例えば、ガラス板３０は、合成樹脂製で構成してもよく、本発明の技術の範囲内で適宜変更が可能である。要するに、いわゆる当業者が必要に応じてなす種々なる変更、応用、利用の範囲をも本発明の要旨（技術的範囲）に含むことを念のため申し添える。
【符号の説明】
【００３７】
１  貯蔵室、２  棚部、３  前棚、４  後棚、５ａ〜５ｇ  棚レール、６、７  浮き上がり防止レール、１０  外箱、１１  内箱、１２  風路部品、１３  温度調節部、３０、４０  ガラス板、３１、４１  フレーム、３１ａ、４１ａ  前方保持片、３１ｂ、４１ｂ  側部保持片、３１ｃ、４１ｃ  後方保持片、３２、４２  ツメ部、３３  突起部、３４  凸状部、３５  凸部、４４、４６  切り欠き部、４５  段差部、１００、１１０  冷蔵庫、１００Ａ  外郭体。
【図１】
2017168670.tif 000003
【図２】
2017168670.tif 000004
【図３】
2017168670.tif 000005
【図４】
2017168670.tif 000006
【図５】
2017168670.tif 000007
【図６】
2017168670.tif 000008
【図７】
2017168670.tif 000009
【図８】
2017168670.tif 000010
【図９】
2017168670.tif 000011
【図１０】
2017168670.tif 000012
【図１１】
2017168670.tif 000013
【図１２】
2017168670.tif 000014
【図１３】
2017168670.tif 000015
【図１４】
2017168670.tif 000016
【図１５】
2017168670.tif 000017
【図１６】
2017168670.tif 000018
【図１７】
2017168670.tif 000019
【図１８】
2017168670.tif 000020
【図１９】
2017168670.tif 000021
【図２０】
2017168670.tif 000022
【手続補正書】
【提出日】平成30年6月19日(2018.6.19)
【手続補正１】
【補正対象書類名】明細書
【補正対象項目名】０００５
【補正方法】変更
【補正の内容】
【０００５】
この発明は、上記のような課題を解決するためになされたもので、食品収納スペースの広さを確保したまま、高さのある貯蔵品を収納できるスペースを形成することができる冷蔵庫を提供することを目的としている。
【手続補正２】
【補正対象書類名】明細書
【補正対象項目名】０００６
【補正方法】変更
【補正の内容】
【０００６】
本発明に係る冷蔵庫は、前面を開口した貯蔵室を有する外郭体と、前記貯蔵室の内側壁面に設けられた前後方向に延びる棚レールと、前記貯蔵室の開口側と奥側とで前後に分割され、前記棚レールに支持される前棚及び後棚と、を備え、前記前棚には、側縁部において前記棚レールと係合するツメ部と、下面から下方へ突き出した凸部と、が設けられており、前記後棚には、前記棚レールから取り外された前記前棚を上面に重ねた場合に、前記前棚の前記ツメ部に対応する位置に切り欠き部と、前記凸部が前後方向に突き当たる段差部と、が形成されており、前記段差部は、前記前棚を前記後棚の上面に重ねた場合に、前記前棚が水平となる高さを有しているものである。
【手続補正３】
【補正対象書類名】特許請求の範囲
【補正対象項目名】全文
【補正方法】変更
【補正の内容】
【特許請求の範囲】
【請求項１】
前面を開口した貯蔵室を有する外郭体と、
前記貯蔵室の内側壁面に設けられた前後方向に延びる棚レールと、
前記貯蔵室の開口側と奥側とで前後に分割され、前記棚レールに支持される前棚及び後棚と、を備え、
前記前棚には、側縁部において前記棚レールと係合するツメ部と、下面から下方へ突き出した凸部と、が設けられており、
前記後棚には、前記棚レールから取り外された前記前棚を上面に重ねた場合に、前記前棚の前記ツメ部に対応する位置に切り欠き部と、前記凸部が前後方向に突き当たる段差部と、が形成されており、
前記段差部は、前記前棚を前記後棚の上面に重ねた場合に、前記前棚が水平となる高さを有している、冷蔵庫。
【請求項２】
前面を開口した貯蔵室を有する外郭体と、
前記貯蔵室の内側壁面に設けられた前後方向に延びる棚レールと、
前記貯蔵室の開口側と奥側とで前後に分割され、前記棚レールに支持される前棚及び後棚と、を備え、
前記前棚には、側縁部において前記棚レールと係合するツメ部と、下面から下方へ突き出した凸部と、後方縁部において前記後棚に向かって突き出し、前記後棚の下面に当たる突起部と、が設けられており、
前記後棚には、前記棚レールから取り外された前記前棚を上面に重ねた場合に、前記前棚の前記ツメ部に対応する位置に切り欠き部と、前記凸部が前後方向に突き当たる段差部と、が形成されており、
前記段差部は、前記前棚を前記後棚の上面に重ねた場合に、前記前棚が水平となる高さを有している、冷蔵庫。
【請求項３】
前記ツメ部は、前記前棚の前方側に設けられ、
前記切り欠き部は、前記後棚の前方側に形成されており、
前記前棚の後方側は、前記後棚の前記切り欠き部の形状に収まる凸状部を有する請求項１又は２に記載の冷蔵庫。
【請求項４】
前記前棚は、前記後棚の上面に重ねた場合に、前方縁辺が前記後棚の前方縁辺と同じ位置か、又は前記後棚の前方縁辺よりも後方となる大きさである請求項１〜３のいずれか一項に記載の冷蔵庫。
【請求項５】
前記貯蔵室の内側壁面には、前記後棚の上面に前記前棚を重ねた場合に、前記前棚の上方であって、貯蔵室内側に突出する浮き上がり防止レールが設けられている請求項１〜４のいずれか一項に記載の冷蔵庫。
【請求項６】
前記後棚は、切り欠きが形成されたガラス板と、前記ガラス板の外周縁に沿って装着されたフレームとを有し、
前記ガラス板は、切り欠き側から前記フレームの前記切り欠き部へ向かって挿入される請求項１〜５のいずれか一項に記載の冷蔵庫。
【請求項７】
前記棚レールは、前記貯蔵室の上下方向に沿って複数段設けられており、
前記複数段の棚レールうち、少なくとも一つは前記前棚の前後方向の長さから成る請求項１〜６のいずれか一項に記載の冷蔵庫。
【請求項８】
前記貯蔵室の内側壁面には、前記前棚の前後方向の長さから成る棚レールに前記前棚を載せた場合に、前記前棚の上方であって、前記貯蔵室内側に突出する浮き上がり防止レールが設けられている請求項７に記載の冷蔵庫。
【国際調査報告】
2017168670.tif 000023
2017168670.tif 000024